(57)【特許請求の範囲】
【請求項１】
上方に設けられた湯口から溶湯が注入される主金型と、
前記主金型の上方内側に配置され、前記主金型との間でシリンダヘッド製品部を形成する上金型と、
前記上金型の上部に凹設された凹部と、
前記上金型の下部において前記凹部に向かって上方に突出するように形成され、その外周が該凹部によって覆われる押湯と、
前記凹部の内部に設けられ、前記シリンダヘッド製品部の上面よりも上方に位置する前記押湯を加熱するヒータと、
前記凹部の内部に設けられ、前記シリンダヘッド製品部への前記ヒータの熱の伝導を防ぐ断熱材と、を備え、
前記押湯と前記凹部とが隣接する部位の前記上金型の肉厚が、他の部位に比べて薄肉に形成されている
ことを特徴とする、シリンダヘッド鋳造用鋳型。
【請求項２】
前記断熱材が、前記ヒータの底面に設けられる
ことを特徴とする、請求項１記載のシリンダヘッド鋳造用鋳型。
【請求項３】
前記ヒータが、前記シリンダヘッド製品部の前記上面よりも上方に前記ヒータの下面が位置するように設けられる
ことを特徴とする、請求項１又は２記載のシリンダヘッド鋳造用鋳型。
【発明の詳細な説明】
【技術分野】
【０００１】
本発明は、エンジンのシリンダヘッドを重力鋳造する際に用いる鋳型に関する。
【背景技術】
【０００２】
鋳造は、溶湯（溶融金属）を鋳型に注入して所定の形の鋳物を作る技術であって、複雑な形状のものや大型なものを容易且つ比較的安価に作ることができるという長所を有する。そのため、従来から、ジョイントやケース等の汎用部品やシリンダヘッドやマニホールド等の自動車部品等、様々な部品の製造に鋳造が用いられている。
【０００３】
鋳造法には、固定した鋳型内に上方から溶湯を注ぎ込み、重力を利用する重力鋳造（置き注ぎ法ともいう。）、高速で回転する鋳型内に溶湯を流し込み、遠心力を利用して行う遠心鋳造、溶解炉の上部に鋳型を取り付け、坩堝内の溶湯の表面に圧力をかけてストークスを通して溶湯を下方から鋳型内に注入する低圧鋳造等がある（例えば、特許文献１参照）。
【０００４】
ところで、鋳型内に注入された金属（溶湯）は凝固する間に収縮するため、収縮により製品内部に引け巣や割れ（亀裂）等の鋳造欠陥が発生することが知られている。そのため、鋳型上部の上型に押湯と呼ばれる空洞を設け、鋳型内に溶湯を注入する際に、この押湯にも湯を充満させる手法が採られている。これにより、押湯の重さで湯に圧力を加えるとともに、凝固の際の湯の収縮分を押湯の湯で補給することで、引け巣等の鋳造欠陥の発生を防止している。一般的に、押湯は湯口の反対側や肉厚部の上方に設けられるため、例えば、シリンダヘッドのような肉厚部を有する大物部品を重力鋳造で鋳込む場合、肉厚部の上方に押湯が設けられる。
【先行技術文献】
【特許文献】
【０００５】
【特許文献１】特許第３１０６９４１号公報
【発明の概要】
【発明が解決しようとする課題】
【０００６】
肉厚部は、温度低下しにくいため、凝固に最も時間がかかる。また、収縮により発生する鋳造欠陥は、最終的に凝固する部分（周囲よりも遅れて凝固する部分）にできやすい。そのため、肉厚部が最終的に凝固する部分となるのは避ける必要がある。これに対して従来は、砂で形成した上中子（上砂）に押湯を設け（言い換えると、押湯を設ける上型を砂で形成して）、押湯の周りを上中子で保温し、押湯の温度が肉厚部よりも先に低下しないようにしていた。すなわち、上中子で押湯を保温することで、押湯に充填された湯が最終的に凝固するようにし、鋳造欠陥が製品内部ではなく、押湯の内部で生じるようにしていた。
【０００７】
しかしながら、砂で形成される上中子は一つの鋳物を鋳造するたびに毎回製作しなければならないため、そのための砂費及び工費がかかり、上中子を製作するための工数もかかる。また、上中子は押湯を保温することはできるものの、肉厚部よりも高温状態を保つためには、熱容量を確保すべく大きな押湯を設ける必要がある。さらに、押湯の内部で凝固した金属は製品から取り除かれるため、大きな押湯は歩留まりの低下を招く。
【０００８】
本件はこれらのような課題に鑑み案出されたもので、コストを削減するとともに押湯を縮小して歩留まりを向上させることができるようにした、シリンダヘッド鋳造用鋳型を提供することを目的とする。
なお、この目的に限らず、後述する発明を実施するための形態に示す各構成により導かれる作用効果であって、従来の技術によっては得られない作用効果を奏することも本件の他の目的として位置づけることができる。
【課題を解決するための手段】
【０００９】
（１）ここで開示するシリンダヘッド鋳造用鋳型は、上方に設けられた湯口から溶湯が注入される主金型と、前記主金型の上方内側に配置され、前記主金型との間でシリンダヘッド製品部を形成する上金型と、前記上金型の上部に凹設された凹部と、前記上金型の下部において前記凹部に向かって上方に突出するように形成され、その外周が該凹部によって覆われる押湯と、前記凹部の内部に設けられ、前記シリンダヘッド製品部の上面よりも上方に位置する前記押湯を加熱するヒータと、前記凹部の内部に設けられ、前記シリンダヘッド製品部への前記ヒータの熱の伝導を防ぐ断熱材と、を備え、前記押湯と前記凹部とが隣接する部位の前記上金型の肉厚が、他の部位に比べて薄肉に形成されていることを特徴としている。
【００１０】
（２）また、前記断熱材が、前記ヒータの底面に設けられることが好ましい。
（３）また、前記ヒータが、前記シリンダヘッド製品部の前記上面よりも上方に前記ヒータの下面が位置するように設けられることが好ましい。
【００１２】
なお、ここでいう「湯口」とは、鋳型内に溶湯を注入するための空洞を意味し、「押湯」とは、鋳造中に鋳型内の製品部分に対して圧力を作用させるための溶湯が充填される空洞を意味する。また、後記する「上がり」とは、注入時に鋳型内の空気やスラグ等を追い出す（製品部分から排除する）ための空洞を意味する。
【発明の効果】
【００１３】
開示のシリンダヘッド鋳造用鋳型によれば、従来のように押湯を保温するための上中子（上砂）に代えて上金型を用いるため、上中子を毎回製作する必要がなく、上中子を製作するために必要となる砂費及び工費と、上中子を製作するための工数とを削減することができる。また、ヒータが内装された上金型によって押湯を加熱するため、押湯の温度低下を防ぐことができる。そのため、押湯を最終凝固部とすることができるので、シリンダヘッド製品部での鋳造欠陥の発生を防ぐことができ、シリンダヘッド製品部の品質を向上させることができる。
【００１４】
さらに、上中子と違って、上金型の内部に設けられたヒータにより積極的に押湯を加熱することができる。そのため、押湯の温度低下を防ぐために大きな押湯を設ける必要がない。言い換えると、上中子を用いていた従来に比べて押湯を縮小することができる。そのため、溶湯の使用量を減らすことができ（歩留まりを向上させることができ）、溶解費を削減することができる。すなわち、シリンダヘッド製品部の品質を低下させることなく、コスト削減及び歩留まりの向上を実現させることができる。
【図面の簡単な説明】
【００１５】
【図１】一実施形態に係るシリンダヘッド鋳造用鋳型の長手方向に対して垂直な面で切断した模式的な断面図である。
【図２】図１に示す鋳型の模式的な断面斜視図である。
【図３】図１に示す鋳型で生成された鋳物の断面図である。
【発明を実施するための形態】
【００１６】
以下、図面により実施の形態について説明する。なお、以下に示す実施形態はあくまでも例示に過ぎず、以下の実施形態で明示しない種々の変形や技術の適用を排除する意図はない。
【００１７】
［１．構造］
本実施形態に係るシリンダヘッド鋳造用鋳型について、図１〜図３を用いて説明する。本鋳型は、アルミ合金製のシリンダヘッドを重力鋳造方式により鋳造するときに用いられる金型である。重力鋳造方式とは、溶かしたアルミ合金を重力によって鋳型に注入する方式である。また、ここで鋳造されるシリンダヘッドは、直列型エンジンに組み付けられる部品であり、以下の説明では、直列型エンジンのシリンダが列設される方向（直列方向）を「長手方向」と呼び、長手方向に直交する方向（幅方向）を「短手方向」と呼ぶ。
【００１８】
図１は本実施形態に係る鋳型１を長手方向に垂直な面で切断した断面図であり、図２は図１に示す鋳型１の断面斜視図である。図１及び図２に示すように、本実施形態に係る鋳型１は、アルミ合金を溶解した溶湯（溶融金属，以下、湯ともいう。）が注入される主金型１０と、主金型１０の上方内側に配置される上金型２０と、上金型２０の内部に設けられたヒータ３０とを備えて構成される。鋳型１内に注入された溶湯は、主金型１０と上金型２０との間で凝固するとシリンダヘッド製品部５１を含む鋳物５０（図３参照）となる。なお、図１及び図２に示す鋳型１は、シリンダヘッド製品部５１の下面５１ｂ（図３参照）が下になるように構成されている。
【００１９】
主金型１０は、鋳型１の土台を構成する下型１１と、下型１１の上に設けられ、鋳型１の側面を構成する四つの寄型１２（図１では二つ，図２では三つを図示）とから構成される。下型１１は、鋳型１の最も下方に設けられる金型である。下型１１には、短手方向の中間部に、鋳型１に注入される溶湯の下部（すなわち、シリンダヘッド製品部５１の下面５１ｂ）を冷却する冷却部１７が設けられる。
【００２０】
冷却部１７は、下型１１の短手方向中間部に形成された溝部１７ａとその周りにある複数の孔部１７ｂの中を冷却水が流通するように構成される。なお、ここでは、溝部１７ａは下型１１の短手方向中心に、その下面１１ｂから上方に向かって一つ形成されており、孔部１７ｂは溝部１７ａの短手方向外側（溝部１７ａの両側）に二つずつ形成されているが、冷却部１７の構成はこれに限られない。
【００２１】
寄型１２は、下型１１に対して、例えば図示しないボルト等により分解可能に結合される。寄型１２が下型１１に結合された状態では、下型１１の上面１１ａと寄型１２の内面１２ａ（四つの内面）とによって空間Ｓが形成される。この空間Ｓ内であって下型１１の上面１１ａには、排気ポート中子１４及び吸気ポート中子１５が配設される。
【００２２】
排気ポート中子１４は排気通路を作るための中子であり、吸気ポート中子１５は吸気通路を作るための中子である。また、この空間Ｓ内であって下型１１の上面１１ａから離隔した位置には、水室中子１６が配設される。水室中子１６は、シリンダヘッドの冷却水を流す空間（ウォータージャケットの一部となる空洞）を作るための中子である。なお、これらの中子１４〜１６の形状や配置はこれに限られず、エンジンの種類によって適宜変更される。
【００２３】
上金型２０は、主金型１０の下型１１の上面１１ａの上方であって、寄型１２の内面１２ａの内側（すなわち、空間Ｓ内）に設けられる金型である。上金型２０の上部には、ヒータ３０をはめ込むための凹部２０ｅが凹設される。この凹部２０ｅは、上方に向けて開口したへこみであり、ヒータ３０と嵌合する形状に形成される。一方、上金型２０の下部には、後述の押湯２３となる窪み２０ｃが形成される。この窪み２０ｃは、下方に向けて開口したへこみである。
【００２４】
図１に示すように、窪み２０ｃは凹部２０ｅに向かって上方に突出するように形成され、窪み２０ｃの上端部はその外周を凹部２０ｅによって覆われている。また、凹部２０ｅと窪み２０ｃとが隣接する部位の肉厚（厚み寸法）は、薄肉に形成される。
【００２５】
また、上金型２０には、図２に示すように、長手方向両端部（図２では一端を図示）に、上金型２０を主金型１０の上面に対して固定するためのフランジ部２０ｆが設けられる。上金型２０は、四つの側面２０ａがいずれも寄型１２の内面１２ａから離間し、下面２０ｂが下型１１の上方に設けられる中子１４〜１６から離間して設けられる。つまり、上金型２０は主金型１０と非接触の状態で固定され、上金型２０と主金型１０との間隙が空間Ｓとなる。
【００２６】
空間Ｓ内に設けられる上金型２０によって、シリンダヘッド製品部５１の上面５１ａ（図１中に一点鎖線で図示）よりも上方には、湯口２１及び上がり２２が形成される。さらに、上金型２０の下方内側であってシリンダヘッド製品部５１の上面５１ａよりも上方には、押湯２３が設けられる。
【００２７】
湯口２１は、上金型２０の一方の側面２０ａと短手方向両側に配設される寄型１２のうちの一方の寄型１２の内面１２ａとの間に形成される。湯口２１は、鋳型１の上方から空間Ｓ内に溶湯を注ぎ込むための口であり、空間Ｓと外部とを連通し、長手方向に延設される空洞である。湯口２１は、空間Ｓ内に上金型２０が設けられることで形成される空洞のため、下部は当然空間Ｓに対して開放されている。また、湯口２１の上部には、外部と湯口２１とを連通する開口２１ｈが設けられる。
【００２８】
上がり２２は、上金型２０の他方の側面２０ａと短手方向両側に配設される寄型１２のうちの他方の寄型１２の内面１２ａとの間に形成される空隙である。上がり２２は、鋳型１内（空間Ｓ内）に溶湯を注入したとき、鋳型１内の空気を外部に放出する役割や、鋳型１内で発生するガス，スラグ，砂等を外部に追い出す役割を有するものである。また、上がり２２は、鋳型１内に隙間なく十分に溶湯がまわったか否かを確認するためにも用いられる。
【００２９】
上がり２２は、鋳型１の上方に設けられ、長手方向に延設される細い空隙であり、湯口２１よりも短手方向長さが短い（すなわち幅が狭い）。上がり２２は、空間Ｓ内に上金型２０が設けられることで形成される空隙のため、下部は当然空間Ｓに対して開放されている。また、上がり２２の上部には、外部と上がり２２とを連通する開口２２ｈが設けられ、この開口２２ｈから空気やガス等が外部へ抜けていく。
【００３０】
押湯２３は、上金型２０の下部に形成された窪み２０ｃの底面２０ｄ近傍の空間のことであり、シリンダヘッド製品部５１の最も肉厚の大きい部分の上方に設けられる。言い換えると、押湯２３は、上金型２０の下面２０ｂから上方に向かって形成された窪み２０ｃのうち、シリンダヘッド製品部５１の上面５１ａよりも上方の空間のことであり、ここでは吸気ポート中子１５と水室中子１６との間の肉厚部上方に設けられる。押湯２３は長手方向に沿って設けられ、押湯２３の下部は空間Ｓに対して開放されているが、上部は外部に対して閉鎖されている。
【００３１】
押湯２３は、空間Ｓ内のシリンダヘッド製品部５１となる部分を満たした後の溶湯が満たされる部分であり、一般的に、シリンダヘッドのように厚さが一様ではない（すなわち、肉厚な部分を有する）製品を鋳造する際に設けられる。押湯２３は、押湯２３に充満された湯の重さによって空間Ｓ内の溶湯に対して圧力を加え、引け巣の発生やガスの追い出しに効果がある。また、鋳型１内に注入された溶湯は、凝固の際に収縮し、引け巣や空孔が発生するおそれがあるが、押湯２３に充満された湯によって収縮分の湯が効率的に補給される。
【００３２】
なお、本実施形態では、上記した湯口２１及び上がり２２は、押湯２３と同様の機能を有している。これは、湯口２１及び上がり２２は、上部が外部に対して開放されていること以外、押湯２３と同様に構成されているからである。つまり、湯口２１及び上がり２２も、シリンダヘッド製品部５１の上面５１ａよりも上方に設けられ、空間Ｓ内を満たした後の溶湯が満たされる。そのため、湯口２１及び上がり２２に充満された溶湯も、空間Ｓ内の溶湯に対して圧力を加えることができるため、押湯２３と同様の働きをする。
【００３３】
ヒータ３０は、鋳造時に溶湯を凝固させる過程でその溶湯に熱を与えるための加熱器であり、上金型２０の上部に形成された凹部２０ｅにはめ込まれる。つまり、ヒータ３０は、上金型２０の内部上方に設けられる。また、ヒータ３０は長手方向において複数個直列に並べて設けられる。ここでは、隣合うヒータ３０同士が接するように配置されているが、互いに僅かに間隔を空けて配置されていてもよく、また、一体で構成されたヒータが配置されていてもよい。ヒータ３０は、その下部に上金型２０の凹部２０ｅ及び窪み２０ｃの形状に合わせた凹状の窪み３０ｃを有する。言い換えると、ヒータ３０の窪み３０ｃは、上金型２０に設けられる押湯２３の周りを覆うように設けられる。
【００３４】
また、ここではヒータ３０は、シリンダヘッド製品部５１の上面５１ａ（図１及び図３に一点鎖線で図示）よりも上方にヒータ３０の下面３０ｂが位置するように設けられる。これにより、ヒータ３０は、窪み３０ｃにおいて押湯２３を加熱し、短手方向の両側面３０ａ，３０ａにおいて湯口２１及び上がり２２を加熱する。なお、ヒータ３０は、セラミックヒータや赤外線ヒータ等、種々のヒータを適用可能であり、その種類は特に限定されない。
【００３５】
ヒータ３０の底部（下面３０ｂの裏側）には、ヒータ３０の熱がシリンダヘッド製品部５１へ伝導するのを防ぐ断熱材４０が設けられる。断熱材４０は、ここではヒータ３０の下面３０ｂと同一の形状にセラミックで形成されており、ヒータ３０の底面に沿って配置されている。なお、断熱材４０はヒータ３０の底面（すなわち、ヒータ３０の内側）に設けられていなくてもよく、ヒータ３０の外側に別設されてもよい。例えば、ヒータ３０を上金型２０の凹部２０ｅにはめ込む際に、セラミック製の断熱材４０をヒータ３０よりも先に凹部２０ｅ内に配置して、ヒータ３０の下面３０ｂの下に設けてもよい。
【００３６】
また、断熱材４０はセラミック製に限られず、グラスウール等の繊維系断熱材や空気層であってもよい。この場合、ヒータ３０の底面近傍に仕切板（図示略）を設けて、この仕切板と底面との間の空間を作り、この空間に断熱材４０を詰めることにより、又はこの空間を断熱材４０として利用する（すなわち、断熱材を空気層とする）ことにより、ヒータ３０の熱の伝導を防ぐ。
【００３７】
このように構成された鋳型１によって鋳造される鋳物５０は、図３に示すような形状となる。シリンダヘッド製品部５１は、中子１４〜１６があった部分は空洞となり、それ以外の部分は溶湯が凝固している。また、シリンダヘッド製品部５１の上方には、湯口２１，上がり２２及び押湯２３に溜まっていた溶湯がそれぞれ凝固して、アルミ塊５２（湯口のアルミ塊５２１，上がりのアルミ塊５２２及び押湯のアルミ塊５２３）が形成される。このアルミ塊５２は、不要な部分であるため、後続の製造工程で鋳物５０から除去される。
【００３８】
［２．工法及び作用］
次に、本実施形態に係るシリンダヘッド鋳造用鋳型を用いたシリンダヘッドの鋳造方法について説明する。
図１及び図２に示すように、まず、下型１１に中子１４〜１６を配置し、寄型１２を結合させて主金型１０を完成させる。次に、上金型２０の上部の凹部２０ｅにヒータ３０及び断熱材４０をはめ込み、ヒータ３０と断熱材４０とを内装した上金型２０を完成させる。そして、主金型１０の内側に上金型２０を位置決めしつつ配置する。これで鋳型１が完成となる。
【００３９】
次に、湯口２１から溶解したアルミ合金（アルミ溶湯）を鋳型１内へ注ぎ込む。湯口２１から鋳型１内に注入される溶湯は、中子１４〜１６が設けられている部分以外の空間Ｓ内を満たした後、上がり２２及び押湯２３の中へ上昇していく。本実施形態では、押湯２３の上面が鋳型１の上面（湯口２１の上面及び上がり２２の上面）よりも低く設けられているため、まず押湯２３内が溶湯で満たされる。
【００４０】
そして、湯口２１から溶湯を注入し続けると、いずれ湯口２１内の溶湯の湯面（溶湯の水位）が下がらなくなる。なお、湯口２１の湯面は、上がり２２の湯面（溶湯の水位）と同一となるため、上がり２２の湯面を監視することで溶湯が空間Ｓ内に満たされているか否かを確認することができる。
【００４１】
鋳型１内へ十分に溶湯を注入し終えたら、冷却部１７の溝部１７ａ及び孔部１７ｂの中に冷却水を流通させるとともに、ヒータ３０による加熱を開始する。溶湯が凝固し終えたら、鋳物５０から上金型２０と中子１４〜１６とを取り外し、鋳物５０を主金型１０から取り外す。そして、シリンダヘッド製品部５１からアルミ塊５２の部分を除去し、表面処理等の仕上げ加工を行うことにより、シリンダヘッドが完成する。
【００４２】
次に、鋳型１内に注入された溶湯の凝固について説明する。鋳型１内の溶湯は、温度の低い冷却部１７近傍から凝固していく。つまり、シリンダヘッド製品部５１の下面５１ｂが最も先に凝固し始め、そこから上方に向かって徐々に凝固が進行していく。このとき、湯口２１，上がり２２及び押湯２３に満たされている湯が、その重さによってシリンダヘッド製品部５１になる部分の溶湯（すなわち、空間Ｓ内の溶湯）に対して圧力を加える。これにより、溶湯が凝固する際に収縮する分の湯が、湯口２１，上がり２２及び押湯２３の湯によって効率的に供給される。
【００４３】
特に、シリンダヘッド製品部５１の肉厚部分は溶湯の体積が大きいため、周りに比べて収縮も大きく、補給すべき収縮分の溶湯の体積も大きくなる。これに対して、肉厚部分の上方に押湯２３を設けることにより、肉厚部分に圧力を加えながら溶湯を補給することが可能となる。また、湯口２１，上がり２２及び押湯２３はヒータ３０によって加熱されているため、なかなか凝固が開始しない。
【００４４】
押湯２３には、ヒータ３０の熱が凹部２０ｅと窪み２０ｃとの間の薄肉部を介して効率的に伝達されるため、押湯２３内の溶湯が長時間保温され、凝固するまでの時間が大幅に遅延する。さらに、ヒータ３０の底面には断熱材４０が設けられているため、ヒータ３０の熱はシリンダヘッド製品部５１へは伝導されにくくなる。
【００４５】
つまり、アルミ塊５２となる部分の方が、シリンダヘッド製品部５１となる部分よりも凝固が遅くなり、押湯２３等を最終的に凝固する部分（最終凝固部）とすることができる。言い換えると、シリンダヘッド製品部５１は、その下面５１ｂから上方に向かって順に凝固し、アルミ塊５２よりも先に凝固が終了する。
【００４６】
特に、シリンダヘッド製品部５１の中央部に着目すると、押湯２３の下方に位置する肉厚部（吸気ポート中子１５と水室中子１６との間の肉厚部）の方が、押湯２３よりも先に凝固することになる。そのため、最終凝固部に発生し易い引け巣や空孔等の鋳造欠陥は、シリンダヘッド製品部５１には発生せず、後工程で切除されるアルミ塊５２の内部に生じる。
【００４７】
［３．効果］
本実施形態に係るシリンダヘッド鋳造用鋳型１によれば、従来のように押湯を保温するための上中子（上砂）に代えて上金型２０を用いるため、上中子を毎回製作する必要がなく、上中子を製作するために必要となる砂費及び工費を削減することができる。また、上中子を製作するための工数も削減することができる。また、ヒータ３０が内装された上金型２０によって押湯２３を加熱するため、押湯２３の温度低下を防ぐことができる。そのため、押湯２３を最終凝固部とすることができるので、シリンダヘッド製品部５１での鋳造欠陥の発生を防ぐことができ、シリンダヘッド製品部５１の品質を向上させることができる。
【００４８】
さらに、上中子と違って、上金型２０の内部に設けられたヒータ３０により積極的に押湯２３を加熱することができる。そのため、押湯２３の温度低下を防ぐために大きな押湯を設ける必要がない。言い換えると、上中子を用いていた従来に比べて押湯２３を縮小することができる。そのため、溶湯の使用量を減らすことができ（言い換えると、アルミ塊５２の体積を減らすことができるため歩留まりを向上させることができ）、溶解費（金属を溶解させるために必要なコスト）を削減することができる。すなわち、シリンダヘッド製品部５１の品質を低下させることなく、コスト削減及び歩留まりの向上を実現させることができる。
【００４９】
また、シリンダヘッド製品部５１へのヒータ３０の熱の伝導を防ぐ断熱材４０が設けられているため、シリンダヘッド製品部５１の凝固が遅くなることを防ぐことができる。言い換えると、押湯２３を最終凝固させることができる。これにより、内部に鋳造欠陥のない品質のより高いシリンダヘッド製品部５１を鋳造することができる。
【００５０】
特に、断熱材４０がヒータ３０の底面に設けられているため、シリンダヘッド製品部５１への熱の伝導を確実に防ぐことができる。つまり、シリンダヘッド製品部５１に最終凝固部ができることを防ぐことができ、内部に鋳造欠陥のない品質のさらに高いシリンダヘッド製品部５１を鋳造することができる。
【００５１】
また、ヒータ３０が、シリンダヘッド製品部５１の上面５１ａよりも上方にヒータ３０の下面３０ｂが位置するように設けられるため、シリンダヘッド製品部５１に熱が伝わることを最大限抑制することができるとともに、押湯２３をより加熱しやすくすることができる。
【００５２】
また、下型１１に冷却部１７が設けられているため、シリンダヘッド製品部５１の下面５１ｂを最初に凝固させることができる。シリンダヘッド製品部５１の下面５１ｂは、エンジンの燃焼室に対向する面となり最も重要な部分であるため、最初に凝固させることにより、強度を高めることができる。
【００５３】
また、本実施形態では、湯口２１及び上がり２２が、押湯２３と同様の機能を有しているため、シリンダヘッド製品部５１の内部に引け巣等の鋳造欠陥が発生することをより防ぐことができる。
【００５４】
また、本実施形態に係るシリンダヘッドの鋳造方法によれば、上中子の代わりに上金型２０を使うので、上中子を作るための工数と、砂費及び工費（すなわち、材料費と製造コスト）を削減することができる。また、ヒータ３０が内装された上金型２０によって押湯２３を加熱するため、押湯２３の温度低下を防ぐことができる。そのため、押湯２３を最後に凝固させることができるので、シリンダヘッド製品部５１の品質を向上させることができる。
【００５５】
さらに、ヒータ３０で押湯２３を加熱するので、押湯２３の温度低下を防ぐために大きな押湯を設ける必要がない。言い換えると、押湯２３の体積を従来に比べて大幅に減らすことができる。そのため、溶湯の使用量を減らすことができ（すなわち、歩留りを向上させることができ）、溶解費を削減することができる。また、押湯２３を最終的に凝固させるため、シリンダヘッド製品部５１に引け巣や空孔等の鋳造欠陥ができることを確実に防ぐことができる。言い換えると、内部に鋳造欠陥のないシリンダヘッド製品部５１を鋳造することができる。
【００５６】
［４．その他］
以上、本発明の実施形態を説明したが、本発明は上記実施形態に限定されるものではなく、本発明の趣旨を逸脱しない範囲で種々変形することが可能である。
上記実施形態では、ヒータ３０は、押湯２３及びこれと同様の機能を有する湯口２１及び上がり２２を加熱しているが、少なくとも押湯２３を加熱できるように構成されていればよい。このような構成であっても、シリンダヘッド製品部５１の肉厚部に収縮分の湯を補給することができるとともに、押湯２３を最終凝固部とすることができ、上記と同様の効果を得ることができる。
【００５７】
また、鋳型１の主金型１０及び上金型２０の形状は、図１及び図２に示すものに限られない。さらに、溶湯（溶融金属）はアルミ合金に限られない。つまり、これらの構造は、鋳造するシリンダヘッドの構造によって適宜採用されるものである。
【００５８】
また、上記実施形態では、ヒータ３０の下面３０ｂがシリンダヘッド製品部５１の上面５１ａ（すなわち、シリンダヘッド製品部５１とアルミ塊５２との境界上）に位置するように設けられているが、ヒータ３０の位置はこれに限られず、シリンダヘッド製品部５１の上面５１ａよりも上方に設けられていれば、シリンダヘッド製品部５１への熱の伝導をより防ぐことができる。この場合、シリンダヘッド製品部５１までの距離が長くなるため、断熱材が設けられていなくてもよい。
【００５９】
また、ヒータ３０の底面に厚みのある断熱材４０を設ければ、シリンダヘッド製品部５１への熱の伝わりを抑制できるため、ヒータ３０の下面３０ｂがシリンダヘッド製品部５１とアルミ塊５２との境界よりも下に位置するように設けられていてもよい。
また、断熱材４０が設けられる位置は、ヒータ３０の底面に限られず、シリンダヘッド製品部５１の形状や押湯２３の形状によって異なり、ヒータ３０の熱の伝導を防ぎたい位置に設けられていればよい。
【００６０】
また、上記実施形態では、鋳型１内に溶湯を注入してから冷却部１７に冷却水を流通させるとともに、ヒータ３０による加熱を開始しているが、溶湯の注入よりも先に冷却部１７に冷却水を流通させていてもよく、ヒータ３０による加熱を行っていてもよい。また、ヒータ３０による加熱は注入前、冷却部１７による冷却は注入後としてもよく、この逆であってもよい。
【符号の説明】
【００６１】
１  鋳型
１０  主金型
１１  下型
１２  寄型
１７  冷却部
２０  上金型
２１  湯口
２２  上がり
２３  押湯
３０  ヒータ
３０ｂ  ヒータの下面
４０  断熱材
５０  鋳物
５１  シリンダヘッド製品部
５１ａ  シリンダヘッド製品部の上面
５２  アルミ塊
【図１】
0005768705.tif 000002
【図２】
0005768705.tif 000003
【図３】
0005768705.tif 000004